(57)【特許請求の範囲】
【請求項１】
施設に配置されている機器を端末から入力される操作指令に応じて制御する施設管理システムにおいて、使用者の生体情報を記憶する生体情報記憶手段と、上記施設に対して緊急事態が発生した場合、上記緊急事態に対処するための上記端末の操作を、上記使用者の生体情報と上記生体情報記憶手段に記憶されてる生体情報とを照合して一致することにより許可する許可手段と、上記使用者のパスワードを記憶するパスワード記憶手段とを備え、上記許可手段は、上記緊急事態以外の対処を行うための端末の操作を、上記使用者の生体情報の照合に加えて上記使用者のパスワードを入力して一致することにより許可し、上記使用者として、上記緊急事態および緊急事態以外の場合において上記端末の操作を行うことができる管理者と、上記緊急事態の場合のみ操作を行うことができる非管理者とを有する場合、上記非管理者は生体情報のみが上記生体情報記憶手段に記憶され、上記管理者は生体情報およびパスワードが上記生体情報記憶手段および上記パスワード記憶手段にそれぞれ記憶されていることを特徴とする施設管理システム。
【請求項２】
緊急事態として、停電および火災が設定されていることを特徴とする請求項１に記載の施設管理システム。
【請求項３】
生体情報として、使用者の指紋、声紋、掌形、網膜、および、顔型の内、いずれか１つまたは複数を組み合わせることを特徴とする請求項１または請求項２に記載の施設管理システム。
【請求項４】
使用者のパスワードを、機器の操作の重要度に応じて、複数または文字数を所定以上とすることを特徴とする請求項１ないし請求項３のいずれかに記載の施設管理システム。
【請求項５】
許可手段は、端末を最後に操作してから一定時間操作が行われない場合、上記端末の操作を不許可とすることを特徴とする請求項１ないし請求項４のいずれかに記載の施設管理システム。
【請求項６】
使用者が端末の使用許可者であることを確認することができる非接触のＩＣカードを携帯している場合、許可手段は上記端末の操作を許可した後、上記ＩＣカードが一定距離内に存在する場合、上記端末の操作を許可続行とし、上記ＩＣカードが一定距離外になると、上記端末の操作を不許可とすることを特徴とする請求項１ないし請求項５のいずれかに記載の施設管理システム。
【請求項７】
複数の使用者がそれぞれ利用する各端末がイントラネットにて構築されている場合、上記使用者のパスワードにより上記端末から上記イントラネットのログインを行い、許可手段は上記ログイン情報と上記使用者の生体情報とにて許可することを特徴とする請求項１ないし請求項６のいずれかに記載の施設管理システム。
【請求項８】
使用者が可能な端末の操作情報を保有するデータベースを備え、上記使用者が端末の操作を行う毎に操作可能か否かを上記データベースにて確認可能とすることを特徴とする請求項１ないし請求項７のいずれかに記載の施設管理システム。
【請求項９】
使用者の生体情報およびパスワードに応じて、上記使用者が操作可能な端末の操作情報を表示する表示手段を備えたことを特徴とする請求項１ないし請求項８のいずれに記載の施設管理システム。
【請求項１０】
使用者が操作した履歴を保持する履歴保持手段を備えたことを特徴とする請求項１ないし請求項９のいずれかに記載の施設管理システム。
【発明の詳細な説明】
【０００１】
【発明の属する技術分野】
この発明は、使用者の生体情報の認証により、施設の緊急時の対応を行うことができる施設管理システムに関するものである。
【０００２】
【従来の技術】
一般に施設管理システムとしての例えばビル管理システムでは、電源設備等ビルにとって重要なシステムの監視制御を行っている。そしてその操作は、誰もが自由に行えるものではなく、使用者（オペレータ）毎に許される権限に従って操作されるべきものである。
【０００３】
従来このような要求に応えるものとして、図７に示されたような施設管理システムが提案されている。図７は例えば特開平６−２６４６５９号公報に示された従来のビル管理システムの構成を示すブロック図である。図において、１３Ａが液晶画面、１３Ｂがこの液晶画面１３Ａの表面に重ね合わされた透明のタッチパネル、１３ＣはＭＭＩコントローラ、１３ＤはＣＰＵ、１３Ｅは外部Ｉ／Ｆ、１３ＦはＲＡＭ、１３ＧはＥ２ＰＲＯＭである。
【０００４】
次に上記のように構成された従来の施設管理システムの動作について説明する。従来のビル管理システムは使用者が、操作を開始するにあたり、タッチパネル１３Ｂよりパスワードと個人コードとを入力する。次に、ＣＰＵ１３Ｄにて個人コードに対応したパスワードを判別する。そして、個人コードに対応したパスワードであると確認されると、使用者による端末からの監視制御操作が可能となる。
【０００５】
【発明が解決しようとする課題】
従来の施設管理システムは以上のように構成しているので、全ての操作において、個人コードとパスワードとを入力する必要があり、緊急事態が発生して使用者が混乱状態に陥りパスワードを忘れてしまった場合、端末の操作を行うことができなくなるという問題点がある。
【０００６】
この発明は上記のような問題点を解消するためになされたものであり、生体情報を用いることで、緊急事態におけるパスワード入力を省略することができ、通常時においてはパスワードの入力により、セキュリティ性の向上図ることができる施設管理システムを提供することを目的とする。
【０００７】
【課題を解決するための手段】
この発明に係る請求項１の施設管理システムは、施設に配置されている機器を端末から入力される操作指令に応じて制御する施設管理システムにおいて、使用者の生体情報を記憶する生体情報記憶手段と、施設に対して緊急事態が発生した場合、緊急事態に対処するための端末の操作を、使用者の生体情報と生体情報記憶手段に記憶されている生体情報とを照合して一致することにより許可する許可手段と、使用者のパスワードを記憶するパスワード記憶手段とを備え、許可手段は、緊急事態以外の対処を行うための端末の操作を、使用者の生体情報の照合に加えて使用者のパスワードを入力して一致することにより許可し、使用者として、緊急事態および緊急事態以外の場合において端末の操作を行うことができる管理者と、緊急事態の場合のみ操作を行うことができる非管理者とを有する場合、非管理者は生体情報のみが生体情報記憶手段に記憶され、管理者は生体情報およびパスワードが生体情報記憶手段およびパスワード記憶手段にそれぞれ記憶されているものである。
【０００８】
また、この発明に係る請求項２の施設管理システムは、請求項１において、緊急事態として、停電および火災が設定されているものである。
【０００９】
また、この発明に係る請求項３の施設管理システムは、請求項１または請求項２において、生体情報として、使用者の指紋、声紋、掌形、網膜、および、顔型の内、いずれか１つまたは複数を組み合わせるものである。
【００１０】
また、この発明に係る請求項４の施設管理システムは、請求項１ないし請求項３のいずれかにおいて、使用者のパスワードを、機器の操作の重要度に応じて、複数または文字数を所定以上とするものである。
【００１１】
また、この発明に係る請求項５の施設管理システムは、請求項１ないし請求項４のいずれかにおいて、許可手段は、端末を最後に操作してから一定時間操作が行われない場合、端末の操作を不許可とするものである。
【００１２】
また、この発明に係る請求項６の施設管理システムは、請求項１ないし請求項５のいずれかにおいて、使用者が端末の使用許可者であることを確認することができる非接触のＩＣカードを携帯している場合、許可手段は端末の操作を許可した後、ＩＣカードが一定距離内に存在する場合、端末の操作を許可続行とし、ＩＣカードが一定距離外になると、端末の操作を不許可とするものである。
【００１３】
また、この発明に係る請求項７の施設管理システムは、請求項１ないし請求項６のいずれかにおいて、複数の使用者がそれぞれ利用する各端末がイントラネットにて構築されている場合、使用者のパスワードにより端末からイントラネットのログインを行い、許可手段はログイン情報と使用者の生体情報とにて許可するものである。
【００１４】
また、この発明に係る請求項８の施設管理システムは、請求項１ないし請求項７のいずれかにおいて、使用者が可能な端末の操作情報を保有するデータベースを備え、使用者が端末の操作を行う毎に操作可能か否かをデータベースにて確認可能とするものである。
【００１５】
また、この発明に係る請求項９の施設管理システムは、請求項１ないし請求項８のいずれかにおいて、使用者の生体情報およびパスワードに応じて、使用者が操作可能な端末の操作情報を表示する表示手段を備えたものである。
【００１６】
また、この発明に係る請求項１０の施設管理システムは、請求項１ないし請求項９のいずれかにおいて、使用者が操作した履歴を保持する履歴保持手段を備えたものである。
【００１７】
【発明の実施の形態】
実施の形態１．
図１はこの発明の実施の形態を図について説明する。図１はこの発明の実施の形態１の施設管理システムの構成を示すブロック図である。図において、１は管理を行うための施設に配設されている機器、１Ｂはこれらの機器１を使用者によりコントロールするためマンマシンコントローラ、１Ｃはこのマンマシンコントローラ１Ｂの操作状況を確認するためのディスプレイ、１Ｄはマンマシンコントローラ１Ｂに接続された使用者の生体情報を入力するための生体情報照合手段である。
【００１８】
１Ａはマンマシンコントローラ１Ｂと機器１とに接続されたメインコントローラ、１Ｆはメインコントローラ１Ａに備えられている生体情報記憶手段で、マンマシンコントローラ１Ｂの使用者の生体情報を蓄積する。１Ｅは機器１が配置されている施設に対して緊急事態が発生した場合、この緊急事態を対処するためのマンマシンコントローラ１Ｂの操作を、生体情報照合手段１Ｄに入力された使用者の生体情報を生体情報記憶手段１Ｆにて確認して許可する許可手段である。
【００１９】
次に上記のように構成された実施の形態１の施設管理システムの動作について説明する。まず、マンマシンコントローラ１Ｂを使用する使用者は、使用者の生体情報を生体情報記憶手段１Ｆに記憶させておく。そして、施設に緊急事態が発生した場合を仮定する。すると、マンマシンコントローラ１Ｂに接続された生体情報照合手段１Ｄに、使用者は生体情報を入力する。
【００２０】
そして、メインコントローラ１Ａの許可手段１Ｅにて入力された使用者の生体情報が生体情報記憶手段１Ｆに記憶されている生体情報と照合される。次に、許可手段１Ｆが一致していると判断すると、緊急事態に対処するためのマンマシンコントローラ１Ｂの操作をその使用者に許可する。また、使用者の生体情報が生体情報記憶手段１Ｆに記憶されている生体情報に照合しない場合には、その使用者のマンマシンコントローラ１Ｂの操作を不許可とする。
【００２１】
以上のようにこの実施の形態１によれば、使用者は自らの生体情報のみにて緊急事態に対処するマンマシンコントローラ１Ｂの操作を行うことができる。よって、緊急事態が発生して使用者が混乱状態に陥っても、端末の操作を確実に行うことができる。また、使用者は生体情報照合のみにて操作を行うことできるため、パスワード入力が不要となり操作の簡略化及びパスワードを忘れた場合におけるパスワードの再発行といったメンテナンスなど事務手続が削減される。
【００２２】
上記実施の形態１においては緊急事態として特に規定していないが、例えば、停電および火災などを緊急事態として規定し、それに伴う、端末器の操作としては、例えば、エレベータのバックアップ電源の利用、消火活動などいろいろなものが適宜設定可能となる。尚、以下の実施の形態のおいても、緊急事態については同様のことが言えるためその説明は適宜省略する。
【００２３】
また、上記実施の形態では生体情報として特に規定しなかったが、例えば、使用者の指紋、声紋、掌形、網膜、および、顔型の内、いずれか１つまたは複数を組み合わせるものであり、複数の組み合わせることにより、コストはかかるものの、セキュリティ性が向上することは言うまでもない。尚、以下の実施の形態のおいても、生体情報については同様のことが言えるためその説明は適宜省略する。
【００２４】
実施の形態２．
図２はこの発明の実施の形態２の施設管理システムの構成を示すブロック図である。図において、２は管理を行うための施設に配設されている機器、２Ｂはこれらの機器２を使用者によりコントロールするためマンマシンコントローラ、２Ｃはこのマンマシンコントローラ２Ｂの操作状況を確認するためのディスプレイ、２Ｅはマンマシンコントローラ２Ｂに文字などを入力するためのキーボード、２Ｄはマンマシンコントローラ２Ｂに接続された使用者の生体情報を入力するための生体情報照合手段である。
【００２５】
２Ａはマンマシンコントローラ２Ｂと機器２とに接続されたメインコントローラ、２Ｈはメインコントローラ２Ａに備えられている生体情報記憶手段で、マンマシンコントローラ２Ｂの使用者の生体情報を蓄積する。２Ｉはメインコントローラ２Ａに備えられているパスワード記憶手段で、マンマシンコントローラ２Ｂの使用者のパスワードを、使用者の生体情報に関連づけて蓄積する。
【００２６】
２Ｇは機器２が配置されている施設に対して緊急事態が発生した場合、この緊急事態を対処するためのマンマシンコントローラ２Ｂの操作を、生体情報照合手段２Ｄに入力された使用者の生体情報を生体情報記憶手段２Ｆにて確認して許可するとともに、緊急事態以外の対処を行うためのマンマシンコントローラ２Ｂの操作を、生体情報照合手段２Ｄに入力された使用者の生体情報およびキーボード２Ｅに入力された使用者のパスワードを生体情報記憶手段２Ｆおよびパスワード記憶手段２Ｉにて確認して許可するための許可手段である。
【００２７】
次に上記のように構成された実施の形態２の施設管理システムの動作について説明する。まず、マンマシンコントローラ２Ｂを使用する使用者は、使用者の生体情報を生体情報記憶手段２Ｆに、パスワードをパスワード記憶手段２Ｉに記憶させておく。そして、施設に緊急事態が発生した場合は、上記実施の形態１と同様に対処する。
【００２８】
次に、緊急事態以外（通常時）の対処を行う場合について説明する。まず、マンマシンコントローラ２Ｂに接続された生体情報照合手段２Ｄに、使用者は生体情報を入力する。次に、マンマシンコントローラ２Ｂに接続されたキーボード２Ｅに、使用者はパスワードを例えばパスワード入力画面２Ｆに示すように入力する。次に、メインコントローラ２Ａの許可手段２Ｇにて入力された使用者の生体情報と生体情報記憶手段２Ｆに記憶されている生体情報とを照合する。
【００２９】
次に、入力されたパスワードが入力された生体情報に対応したパスワードと一致しているか否かをパスワード記憶手段許可手段２Ｉにて判断する。次に、これらが一致すると緊急事態以外の対処を行うためのマンマシンコントローラ２Ｂの操作をその使用者に許可する。また、使用者の生体情報が生体情報記憶手段２Ｆに記憶されている生体情報に照合しない場合、また、生体情報が照合したとしてもパスワードが一致しない場合には、その使用者のマンマシンコントローラ２Ｂの操作を不許可とする。
【００３０】
以上のようにこの実施の形態２によれば、上記実施の形態１と同様に効果を奏するのはもちろんのこと、緊急事態以外の一般的な施設の機器の管理を行う必要があるような操作に対しては、パスワードの一致も確認しているため、正規の操作権を持った使用者のみ操作許可され、操作権を持たない使用者が操作許可される可能性を減らすことができ、施設管理システムのセキュリティの向上を図ることができる。
【００３１】
従来の施設管理システムは、施設の機器の操作を行うことができる使用者として、わずかな管理者と呼ばれている人達に限られていた。これは、施設のセキュリティの面から多数の使用者に設定することが制約されていたためである。また、パスワードの管理面から言っても、多数の使用者に付した場合は管理コストが非常にかかるという問題点があった。その反面、このわずかな人数の管理者のみにて緊急事態の対処を行うと、速やかに緊急事態に対応できない可能性が大きくなるという問題点があった。
【００３２】
その場合、上記実施の形態２では使用者を特に限定しなかったが、使用者として、緊急事態および緊急事態以外の場合において端末の操作を行うことができる管理者と、緊急事態の場合のみ操作を行うことができる非管理者とを区別することができる。この場合、非管理者は生体情報のみが生体情報記憶手段に記憶され、管理者は生体情報およびパスワードが生体情報記憶手段およびパスワード記憶手段にそれぞれ記憶されているものである。
【００３３】
そして、緊急事態の対処の場合には、管理者、非管理者に関係なく対応することができる。よって、緊急事態の場合は使用者の生体情報という、簡便な手段にて端末の操作を行うことができ、多くの使用者にて緊急事態の対応を行う。そしてこのように設定しても、緊急事態の対応のみにおいての使用者（非管理者）に対しては、パスワードの管理が必要なく低コストにて施設管理システムを構成することができる。
【００３４】
また、使用者が操作した履歴を保持する履歴保持手段を備え、ディスプレイなどに表示可能としておく。このようにすれば、全ての使用者の履歴を保持され、不具合が生じた場合の確認を行うことができ、セキュリティ性をより一層向上することができる施設管理システムを提供することが可能となる。
【００３５】
また、上記実施の形態２ではパスワードとして４桁のものを例に示したがこれに限られることはなく、施設の機器の操作のセキュリティレベル（重要度）に応じて、複数のパスワード、また、文字数を所定以上に設定してもよい。このようにすれば、セキュリティレベル、例えば、日常業務で実施しているスケジュール時刻の変更、設定温度の変更等の操作は簡単なパスワードのみで操作可能とする。
【００３６】
そして、課金に絡むテナント空調機の時間外運転操作等は、複数のパスワード、重要機器の操作等は、所定以上の文字数の高度なパスワード入力の併用と、操作内容に応じたパスワード入力を求めることにより日常業務に支障を与えることなくセキユリティ性を高めることができる。このように、セキュリティレベルに応じて使用者を限定することができ、施設管理システムのセキュリティのより一層向上させることができる。
【００３７】
またこの場合、例えば図３に示すように、使用者が可能な端末の操作情報を保有するデータベース８Ｆをマンマシンコントローラ２Ｂに備え、使用者の入力した生体情報およびパスワードを入力した時点において、当該使用者が操作情報を、表示手段としてディスプレイに表示するように設定する。このようにすれば、操作不可能な端末の操作を行うことが減少し、端末の操作性を向上することができる。
【００３８】
または、使用者の生体情報およびパスワードに応じて、使用者が操作する毎にデータベース８Ｆにて操作可能か否かを確認して行うようにしてもよい。このようにすれば、操作不可能な端末の操作を行うことが減少し、端末の操作性を向上することができる。尚、データベース８Ｆをマンマシンコントローラ２Ｂに備える例を示したがこれに限られることはなく、メインコントローラ２Ａに備えるようにしてもよいことは言うまでもない。
【００３９】
実施の形態３．
図４はこの発明の実施の形態３の施設管理システムの構成を示すブロック図である。図において、７は管理を行うための施設に配設されている機器、７Ｂはこれらの機器７を使用者によりコントロールするためマンマシンコントローラ、７Ｃはこのマンマシンコントローラ７Ｂの操作状況を確認するためのディスプレイ、７Ｄはマンマシンコントローラ７Ｂに文字などを入力するためのキーボード、７Ｅはマンマシンコントローラ７Ｂに接続された使用者の生体情報を入力するための生体情報照合手段である。
【００４０】
７Ｉはマンマシンコントローラ７Ｂが複数存在し、これらにより構築されたイントラネット、７Ａはマンマシンコントローラ７Ｂと機器７とにイントラネット７Ｉにて接続されたメインコントローラ、７Ｈはメインコントローラ７Ａに備えられている生体情報記憶手段で、マンマシンコントローラ７Ｂの使用者の生体情報を蓄積する。７Ｆはイントラネット７Ｉにログインするために設けられている認証サーバで、マンマシンコントローラ７Ｂの使用者がイントラネット７Ｉにログインするためのパスワードが蓄積されている。
【００４１】
７Ｇは許可手段で、機器７が配置されている施設に対して緊急事態が発生した場合、この緊急事態を対処するためのマンマシンコントローラ７Ｂの操作を、生体情報照合手段７Ｅに入力された使用者の生体情報を生体情報記憶手段７Ｈにて確認して許可する。また、緊急事態以外の対処を行うためのマンマシンコントローラ７Ｂの操作を、キーボード７Ｅに入力された使用者のパスワードが認証サーバ７Ｆにて確認されイントラネット７Ｉにログインされていることと、生体情報照合手段７Ｅに入力された使用者の生体情報とを確認して許可する。
【００４２】
次に上記のように構成された実施の形態３の施設管理システムの動作について説明する。まず、マンマシンコントローラ７Ｂを使用する使用者は、使用者の生体情報を生体情報記憶手段７Ｈに、パスワードを認証サーバ７Ｆに記憶させておく。そして、施設に緊急事態が発生した場合は、上記各実施の形態と同様に対処する。
【００４３】
次に、緊急事態以外（通常時）の対処を行う場合について説明する。まず、使用者はマンマシンコントローラ７Ｂに接続されたキーボード７Ｄに、使用者はパスワードを入力してイントラネット７Ｉにログインする。次に、マンマシンコントローラ７Ｂに接続された生体情報照合手段７Ｅに、使用者は生体情報を入力する。次に、メインコントローラ７Ａの許可手段７Ｇはイントラネット７Ｉにログインされていることを認証サーバ７Ｆにて確認し、入力された使用者の生体情報と生体情報記憶手段７Ｈに記憶されている生体情報とを照合する。
【００４４】
次に、ログインされているパスワードが入力された生体情報に対応したパスワードと一致しているか否かを判断する。次に、これらが一致すると緊急事態以外の対処を行うためのマンマシンコントローラ７Ｂの操作をその使用者に許可する。また、使用者の生体情報が生体情報記憶手段７Ｈに記憶されている生体情報に照合しない場合には、その使用者のマンマシンコントローラ７Ｂの操作を不許可とする。
【００４５】
以上のようにこの実施の形態３によれば、上記各実施の形態と同様に効果を奏するのはもちろんのこと、イントラネットにログインする場合のパスワードを、緊急事態以外の端末の操作の許可するための情報として利用することができるため、２重にパスワードを設定する必要がなく低コストにて施設管理システムを構成することができる。
【００４６】
実施の形態４．
図５はこの発明の実施の形態４の施設管理システムの構成を示すブロック図である。図において、５は管理を行うための施設に配設されている機器、５Ｂはこれらの機器５を使用者によりコントロールするためのマンマシンコントローラ、５Ｃはこのマンマシンコントローラ５Ｂの操作状況を確認するためのディスプレイ、５Ｅはマンマシンコントローラ５Ｂに文字などを入力するためのキーボード、５Ｄはマンマシンコントローラ５Ｂに接続された使用者の生体情報を入力するための生体情報照合手段である。
【００４７】
５Ａはマンマシンコントローラ５Ｂと機器５とに接続されたメインコントローラ、５Ｇはメインコントローラ５Ａに備えられている生体情報記憶手段で、マンマシンコントローラ５Ｂの使用者の生体情報を蓄積する。５Ｈはメインコントローラ５Ａに備えられているパスワード記憶手段で、マンマシンコントローラ５Ｂの使用者のパスワードを、使用者の生体情報に関連づけて蓄積する。
【００４８】
５Ｆは許可手段で、機器５が配置されている施設に対して緊急事態が発生した場合、この緊急事態を対処するためのマンマシンコントローラ５Ｂの操作を、生体情報照合手段５Ｄに入力された使用者の生体情報を生体情報記憶手段５Ｇにて確認して許可する。また、緊急事態以外の対処を行うためのマンマシンコントローラ５Ｂの操作を、生体情報照合手段５Ｄに入力された使用者の生体情報およびキーボード５Ｅに入力された使用者のパスワードを生体情報記憶手段５Ｇおよびパスワード記憶手段５Ｈにて確認して許可する。
【００４９】
さらに、許可手段５Ｆは、マンマシンコントローラ５Ｂの操作を許可してから一定時間内に操作が行われない場合、端末の操作をマンマシンコントローラ５Ｂに備えられた強制ログアウト部５Ｉにより、端末の操作を不許可とする。
【００５０】
次に上記のように構成された実施の形態４の施設管理システムの動作について説明する。まず、上記各実施の形態と同様に、マンマシンコントローラ５Ｂを使用する使用者は、使用者の生体情報を生体情報記憶手段５Ｇに、パスワードをパスワード記憶手段５Ｈに記憶させておく。そして、施設に緊急事態が発生した場合および、緊急事態以外の場合の操作は上記各実施の形態と同様に対処する。
【００５１】
次に、生体情報、または生体情報およびパスワードにて端末からの操作が許可となった場合であっても、マンマシンコントローラ５Ｂからの操作が一定時間なかった場合、許可手段５Ｆは強制ログアウト部５Ｉにより、操作禁止状態（端末操作不許可）に戻す。このことにより、ログアウト操作を忘れた場合など、強制的にログアウトすることができるため、許可した使用者以外の使用者による誤った端末の操作ができなくなる。よって、セキュリティをより一層向上させることができる。
【００５２】
実施の形態５．
図６はこの発明の実施の形態５の施設管理システムの構成を示すブロック図である。図において、３は管理を行うための施設に配設されている機器、３Ｂはこれらの機器３を使用者によりコントロールするためマンマシンコントローラ、３Ｃはこのマンマシンコントローラ３Ｂの操作状況を確認するためのディスプレイ、３Ｄはマンマシンコントローラ３Ｂに文字などを入力するためのキーボード、３Ｅはマンマシンコントローラ３Ｂに接続された使用者の生体情報を入力するための生体情報照合手段である。
【００５３】
３Ａはマンマシンコントローラ３Ｂと機器３とに接続されたメインコントローラ、３Ｉはメインコントローラ３Ａに備えられている生体情報記憶手段で、マンマシンコントローラ３Ｂの使用者の生体情報を蓄積する。３Ｊはメインコントローラ３Ａに備えられているパスワード記憶手段で、マンマシンコントローラ３Ｂの使用者のパスワードを、使用者の生体情報に関連づけて蓄積する。
【００５４】
３Ｇは使用者が携帯するＩＣカードで、マンマシンコントローラ３Ｂに接続されたＩＣカード読取部３Ｆにより非接触にて確認することができるものである。３Ｈは許可手段で、機器３が配置されている施設に対して緊急事態が発生した場合、この緊急事態を対処するためのマンマシンコントローラ３Ｂの操作を、生体情報照合手段３Ｅに入力された使用者の生体情報を生体情報記憶手段３Ｉにて確認して許可するとともに、緊急事態以外の対処を行うためのマンマシンコントローラ３Ｂの操作を、生体情報照合手段３Ｅに入力された使用者の生体情報およびキーボード３Ｄに入力された使用者のパスワードを生体情報記憶手段３Ｉおよびパスワード記憶手段３Ｊにて確認して許可する。
【００５５】
さらに、許可手段３Ｆは、マンマシンコントローラ３Ｂの操作を許可してからＩＣカード３Ｇの距離をＩＣカード読取部３Ｆにて確認し、その距離が一定距離内に存在する場合は、マンマシンコントローラ３Ｂの操作の許可を続行し、一定距離外になると、マンマシンコントローラ３Ｂに備えられた強制ログアウト部３Ｋにより、マンマシンコントローラ３Ｂの操作を不許可とする。
【００５６】
次に上記のように構成された実施の形態４の施設管理システムの動作について説明する。まず、上記各実施の形態と同様に、マンマシンコントローラ３Ｂを使用する使用者は、使用者の生体情報を生体情報記憶手段３Ｉに、パスワードをパスワード記憶手段３Ｊに記憶させておく。そして、施設に緊急事態が発生した場合および、緊急事態以外の場合の操作は上記各実施の形態と同様に対処する。
【００５７】
次に、生体情報、または生体情報およびパスワードにて端末からの操作が許可となった場合であっても、使用者が携帯しているＩＣカード３Ｇの距離をＩＣ読取部３Ｆにて確認し、一定距離に存在しない場合、許可手段３Ｈは強制ログアウト部３Ｋにより、操作禁止状態（端末操作不許可）に戻す。このことにより、ログアウト操作を忘れた場合など、強制的にログアウトすることができるため、ログインした使用者以外の使用者による誤った端末の操作ができなくなる。よって、セキュリティ性をより一層向上させることができる。
【００５８】
また、上記実施の形態４の時間的なログアウト機能と、上記実施の形態５のＩＣカードのログアウト機能とを組み合わせることも可能である。その場合、例えば、操作を行うことなく一定時間を経過した場合であっても、ＩＣカードが一定距離に存在していると認識している間は、ログアウトするまでの時間を延長させ、認識しなくなると直ちにログアウトを行うように設定することが考えられる。
【００５９】
【発明の効果】
以上のように、この発明の請求項１によれば、施設に配置されている機器を端末から入力される操作指令に応じて制御する施設管理システムにおいて、使用者の生体情報を記憶する生体情報記憶手段と、施設に対して緊急事態が発生した場合、緊急事態に対処するための端末の操作を、使用者の生体情報と生体情報記憶手段に記憶されている生体情報とを照合して一致することにより許可する許可手段と、使用者のパスワードを記憶するパスワード記憶手段とを備え、許可手段は、緊急事態以外の対処を行うための端末の操作を、使用者の生体情報の照合に加えて使用者のパスワードを入力して一致することにより許可し、使用者として、緊急事態および緊急事態以外の場合において端末の操作を行うことができる管理者と、緊急事態の場合のみ操作を行うことができる非管理者とを有する場合、非管理者は生体情報のみが生体情報記憶手段に記憶され、管理者は生体情報およびパスワードが生体情報記憶手段およびパスワード記憶手段にそれぞれ記憶されているので、
緊急事態の対応を敏速かつ確実に行うことができる施設管理システムを提供することが可能となり、セキュリティ性を向上することができる施設管理システムを提供することが可能となり、パスワードの情報およびメンテナンスなどを最小限にとどめながら、緊急事態の対応を敏速かつ確実に行うことができる施設管理システムを提供することが可能となる。
【００６０】
また、この発明の請求項２によれば、請求項１において、緊急事態として、停電および火災が設定されているので、停電および火災という緊急事態の対応が確実となる施設管理システムを提供することが可能となる。
【００６１】
また、この発明の請求項３によれば、請求項１または請求項２において、生体情報として、使用者の指紋、声紋、掌形、網膜、および、顔型の内、いずれか１つまたは複数を組み合わせるので、セキュリティ性を向上することができる施設管理システムを提供することが可能となる。
【００６２】
また、この発明の請求項４によれば、請求項１ないし請求項３のいずれかにおいて、使用者のパスワードを、機器の操作の重要度に応じて、複数または文字数を所定以上とするので、セキュリティ性をより一層向上することができる施設管理システムを提供することが可能となる。
【００６３】
また、この発明の請求項５によれば、請求項１ないし請求項４のいずれかにおいて、許可手段は、端末を最後に操作してから一定時間操作が行われない場合、端末の操作を不許可とするので、セキュリティ性をより一層向上することができる施設管理システムを提供することが可能となる。
【００６４】
また、この発明の請求項６によれば、請求項１ないし請求項５のいずれかにおいて、使用者が端末の使用許可者であることを確認することができる非接触のＩＣカードを携帯している場合、許可手段は端末の操作を許可した後、ＩＣカードが一定距離内に存在する場合、端末の操作を許可続行とし、ＩＣカードが一定距離外になると、端末の操作を不許可とするので、セキュリティ性をより一層向上することができる施設管理システムを提供することが可能となる。
【００６５】
また、この発明の請求項７によれば、請求項１ないし請求項６のいずれかにおいて、複数の使用者がそれぞれ利用する各端末がイントラネットにて構築されている場合、使用者のパスワードにより端末からイントラネットのログインを行い、許可手段はログイン情報と使用者の生体情報とにて許可するので、イントラネットへのログインを容易に行うことができる施設管理システムを提供することが可能となる。
【００６６】
また、この発明の請求項８によれば、請求項１ないし請求項７のいずれかにおいて、使用者が可能な端末の操作情報を保有するデータベースを備え、使用者が端末の操作を行う毎に操作可能か否かをデータベースにて確認可能とするので、端末の操作が確実になる施設管理システムを提供することが可能となる。
【００６７】
また、この発明の請求項９によれば、請求項１ないし請求項８のいずれかにおいて、使用者の生体情報およびパスワードに応じて、使用者が操作可能な端末の操作情報を表示する表示手段を備えたので、端末の操作が容易となる施設管理システムを提供することが可能となる。
【００６８】
また、この発明の請求項１０によれば、請求項１ないし請求項９のいずれかにおいて、使用者が操作した履歴を保持する履歴保持手段を備えたので、セキュリティ性をより一層向上することができる施設管理システムを提供することが可能となる。
【図面の簡単な説明】
【図１】  この発明の実施の形態１の施設管理システムの構成を示すブロック図である。
【図２】  この発明の実施の形態２の施設管理システムの構成を示すブロック図である。
【図３】  この発明の実施の形態２の施設管理システムの構成を示すブロック図である。
【図４】  この発明の実施の形態３の施設管理システムの構成を示すブロック図である。
【図５】  この発明の実施の形態４の施設管理システムの構成を示すブロック図である。
【図６】  この発明の実施の形態５の施設管理システムの構成を示すブロック図である。
【図７】  従来の施設管理システムの構成を示すブロック図である。
【符号の説明】
１，２，３，５，７  機器、
１Ａ，２Ａ，３Ａ，５Ａ，７Ａ  メインコントローラ、
１Ｂ，２Ｂ，３Ｂ，５Ｂ，７Ｂ  マンマシンコントローラ、
１Ｄ，２Ｄ，３Ｅ，５Ｄ，７Ｅ  生体情報照合手、
１Ｃ，２Ｃ，３Ｃ，５Ｃ，７Ｃ  ディスプレイ、
１Ｅ，２Ｇ，３Ｈ，５Ｆ，７Ｇ  許可手段、
１Ｆ，２Ｈ，３Ｉ，５Ｇ，７Ｈ  生体情報記憶手段、
２Ｅ，３Ｄ，５Ｅ，７Ｄ  キーボード、
２Ｉ，３Ｊ，５Ｈ  パスワード記憶手段、３Ｆ  ＩＣカード読取部、
３Ｇ  ＩＣカード、３Ｋ，５Ｉ  強制ログアウト部、７Ｉ  イントラネット、
８Ｆ  データベース。
【図１】
0003940276.tif 000002
【図２】
0003940276.tif 000003
【図３】
0003940276.tif 000004
【図４】
0003940276.tif 000005
【図５】
0003940276.tif 000006
【図６】
0003940276.tif 000007
【図７】
0003940276.tif 000008